(57)【要約】【課題】  水平方向へも輝線領域、照度ムラや色ムラを伴うことなく均一に照射することができ、しかも、簡単な構成で製造の容易なＬＥＤ照明装置を提供する。【解決手段】ＬＥＤ基板１１０上の環状に分散配置された複数の発光ダイオード（LED：Light Emitting Diode）光源１１１から出射される光を、環状の反射面を有する環状のプリズム１２１Ａ，１２１Ｂからなる反射部１２０Ａ，１２０Ｂにより、上記ＬＥＤ光源１１１の光軸と平行な方向に対して上記光軸から離れる側に反射する。上記反射部１２０Ａ，１２０Ｂは、上記ＬＥＤ光源１１１の光軸に対して傾斜した反射面１２１Ａ，１２１Ｂを有する環状のプリズム１２２Ａ，１２２Ｂからなり、上記ＬＥＤ光源１１１から出射された光が入射される入射面１２３Ａ，１２３Ｂに鏡面処理が施され、入射された光を出射する出射面１２４Ａ，１２４Ｂにマット処理が施されている。【選択図】        図３
2015079653.tif 000002
【特許請求の範囲】
【請求項１】
複数の発光ダイオード（LED：Light Emitting Diode）光源が平面基板上に環状に分散配置されたＬＥＤ基板と、
上記ＬＥＤ光源から出射された光を、上記ＬＥＤ光源の光軸と平行な方向に対して上記光軸から離れる側に反射する環状の反射面を有する反射部と
を備え、
上記反射部は、上記ＬＥＤ光源の光軸に対して傾斜した反射面を有する環状のプリズムからなり、上記ＬＥＤ光源から出射された光が入射される入射面に鏡面処理が施され、入射された光を出射する出射面にマット処理が施されていることを特徴とするＬＥＤ照明装置。
【請求項２】
上記反射部は、上記ＬＥＤ光源よりも幅広に形成された上記入射面を有する環状のプリズムからなることを特徴とする請求項１記載のＬＥＤ照明装置。
【請求項３】
上記環状のプリズムは、少なくとも上記出射面の幅方向の両端縁部が曲面形状に形成されていることを特徴とする請求項２記載のＬＥＤ照明装置。
【請求項４】
上記ＬＥＤ基板には、上記平面基板上に上記複数のＬＥＤ光源が同心の複数の環状に分散配置されており、
上記複数のＬＥＤ光源が分散配置された同心の複数の環状に対応する少なくとも1つの上記反射部を備えることを特徴とする請求項１乃至３のいずれか1項に記載のＬＥＤ照明装置。
【請求項５】
上記同心の複数の環状に分散配置された上記複数のＬＥＤ光源うちの内周側のＬＥＤ光源から出射された光を入射されるフレネルレンズを備え、
外周側のＬＥＤ光源に上記入射面は対向するように配置される上記反射部を構成する上記環状のプリズムと上記フレネルレンズを一体構造としたことを特徴とする請求項４記載のＬＥＤ照明装置。
【発明の詳細な説明】
【技術分野】
【０００１】
本発明は、平面基板上に配列された複数の発光ダイオード（LED：Light Emitting Diode）光源によるＬＥＤ照明装置に関する。
【背景技術】
【０００２】
従来より、発光ダイオード（LED：Light Emitting Diode）光源は、従来の白熱電球や蛍光灯などの照明光源に比べて発熱量が少なく、小消費電力と長い寿命、耐衝撃性などの長所を有していることから、各種ＬＥＤ照明装置が実用化されている。
【０００３】
例えば、ベースライト、シーリング、ダウンライト等のように大きな光束を必要とする場合に好適な照明器具として、複数の白色ＬＥＤが基板上に配設されたＬＥＤ照明装置が提案されている（例えば、特許文献１参照）。
【０００４】
ＬＥＤ照明装置では、点光源に近いＬＥＤチップを面状に複数配置して照明の光源としているので、ＬＥＤチップの配置面に対する直角方向の下方（直下）に光束が集中し、ＬＥＤ照明の直下では照度が大きいが、横方向は暗く、照度ムラが発生するという問題があった。
【０００５】
従来、ＬＥＤ照明装置における照度ムラを改善するために、例えば、ＬＥＤ光源を覆うカバーに関して、
１）カバーに乳白色などの色を付けて光を散乱させる。
２）カバーを曲線状にして光を拡散させる。
３）カバーの樹脂に散乱剤を混ぜて光を散乱させる。
４）カバーの表面に梨地加工やエンボス加工を施して光を散乱させる。
５）カバー以外にＬＥＤチップ近くに散乱用カバーを掛けて、光を散乱させる。
６）ＬＥＤチップを配置する面を複数にして直角方向以外の角度を照明器具にセットする。
等の各種方法が採用されている。
【０００６】
しかし、その効果は限られており、ＬＥＤ照明器具の水平方向への照射は十分ではない。特に、ＬＥＤチップを配置する基板の面積が小さい照明器具では、直下領域以外の照明の周囲の領域、すなわち部屋の壁や四隅が直下領域と比較して暗いことになる。
【０００７】
また、複数のＬＥＤと、各ＬＥＤの発光面と対向して配置され、外側に位置するＬＥＤほど当該ＬＥＤから出射される光の向きが外側を向くように配光するレンズ体とを備えたＬＥＤ照明器具（例えば、特許文献２、３参照）や、基板上に配列された個々のＬＥＤに設けられるレンズによってＬＥＤから照射される光が広角に配光されるようにしたＬＥＤ照明装置（例えば、特許文献４参照）が提案されている。
【０００８】
また、ＬＥＤ照明装置には、白色ＬＥＤとして蛍光体型の白色ＬＥＤが一般的に用いられている。
【０００９】
蛍光体型白色ＬＥＤは、青色の光源を発光する青色ＬＥＤチップをＹＡＧ（イットリウム・アルミニウム・ガーネット）などの蛍光体が均一に混合された樹脂などにより封止されており、光源の青色のスペクトルと蛍光体の発光する黄色のスペクトルが混色されることで、人間の目には白色として認識されるスペクトルを作り出している。
【先行技術文献】
【特許文献】
【００１０】
【特許文献１】特開２００７−１５７３５４号公報
【特許文献２】特開２００２−３０４９０３号公報
【特許文献３】特開２０１１−１０３２７５号公報
【特許文献４】特開２０１１−２２２５１４号公報
【発明の概要】
【発明が解決しようとする課題】
【００１１】
ＬＥＤ照明装置において、ＬＥＤから照射される光をレンズによって広角に配光されるようにしたのでは、ＬＥＤ照明装置の構造が複雑で大型になってしまい、また、フレネルレンズを用いることにより薄型構造化を図ることもできるが、構造が複雑で製造が容易ではないという問題があった。
【００１２】
そこで、本件出願人は、平面基板上に環状に分散配置された複数の発光ダイオード（LED:Light Emitting Diode）光源から出射される光を、環状の反射面を有する反射板により、上記ＬＥＤ光源の光軸と平行な方向に対して上記光軸から離れる側に反射して、水平方向へも十分に照射して、照度ムラをなくすようにしたＬＥＤ照明装置を先に提案している（特願２０１３−０９３９６２参照）。
【００１３】
しかしながら、蛍光体型白色ＬＥＤでは、その出射光における光軸方向の中央領域の光は青味のある白色となり、光軸に対する角度が大きくなる方向の周辺領域の光ほど、黄色味のある白色となるという色ムラの問題があり、蛍光体型白色ＬＥＤを用いたＬＥＤ照明装置において、白色ＬＥＤの照射光を環状の反射面を有する反射板により白色ＬＥＤの光軸と平行な方向に対して上記光軸から離れる側に反射して水平方向に照射すると、水平方向へ照射した光による照明領域内に、上記光軸に対する角度が大きくなる方向の周辺領域の黄色味のある白色光による輝線領域が現れ、環状の色ムラが顕著に視認されてしまうことが判明した。
【００１４】
そこで、本発明の目的は、上述の如き実状に鑑み、水平方向へも十分に照射することができ、しかも、照度ムラや色ムラが少なく、簡単な構成で製造の容易なＬＥＤ照明装置を提供することにある。
【００１５】
本発明の更に他の目的、本発明によって得られる具体的な利点は、以下に説明される実施の形態の説明から一層明らかにされる。
【課題を解決するための手段】
【００１６】
本発明では、平面基板上に環状に分散配置された複数の発光ダイオード（LED:Light Emitting Diode）光源から出射される光を、環状の反射面を有するプリズムからなる反射部に、鏡面処理が施された入射面を介して入射し、入射された光を上記反射面により上記ＬＥＤ光源の光軸と平行な方向に対して上記光軸から離れる側に反射して、マット処理が施された出射面から照度ムラや色ムラが少ない状態で水平方向へ出射する。
【００１７】
すなわち、本発明は、ＬＥＤ照明装置であって、複数の発光ダイオード（LED：Light Emitting Diode）光源が平面基板上に環状に分散配置されたＬＥＤ基板と、上記ＬＥＤ光源から出射された光を、上記ＬＥＤ光源の光軸と平行な方向に対して上記光軸から離れる側に反射する環状の反射面を有する反射部とを備え、上記反射部は、上記ＬＥＤ光源の光軸に対して傾斜した反射面を有する環状のプリズムからなり、上記ＬＥＤ光源から出射された光が入射される入射面に鏡面処理が施され、入射された光を出射する出射面にマット処理が施されていることを特徴とする。
【００１８】
本発明に係るＬＥＤ照明装置において、上記反射部は、例えば、上記ＬＥＤ光源よりも幅広に形成された上記入射面を有する環状のプリズムからなるものとすることができる。
【００１９】
また、本発明に係るＬＥＤ照明装置において、上記環状のプリズムは、例えば、少なくとも上記出射面の幅方向の両端縁部が曲面形状に形成されているものとすることができる。
【００２０】
また、本発明に係るＬＥＤ照明装置において、上記ＬＥＤ基板には、例えば、上記平面基板上に上記複数のＬＥＤ光源が同心の複数の環状に分散配置されており、上記複数のＬＥＤ光源が分散配置された同心の複数の環状に対応する少なくとも1つの上記反射部を備えるものとすることができる。
【００２１】
さらに、本発明に係るＬＥＤ照明装置において、例えば、上記同心の複数の環状に分散配置された上記複数のＬＥＤ光源うちの内周側のＬＥＤ光源から出射された光を入射されるフレネルレンズを備え、外周側のＬＥＤ光源に上記入射面は対向するように配置される上記反射部を構成する上記環状のプリズムと上記フレネルレンズを一体構造としたものとすることができる。
【発明の効果】
【００２２】
本発明では、平面基板上に環状に分散配置された複数の発光ダイオード（LED：Light Emitting Diode）光源から出射される光が入射される入射面に鏡面処理が施され、入射された光を出射する出射面にマット処理が施され、上記ＬＥＤ光源の光軸に対して傾斜した反射面を有する環状のプリズムからなる反射部を備え、上記鏡面処理が施された上記入射面を介して入射し、入射された光を上記反射面により上記ＬＥＤ光源の光軸と平行な方向に対して上記光軸から離れる側に反射して、上記マット処理が施された出射面から出射することにより、水平方向へも十分に照射することができ、しかも、照度ムラや色ムラが少なく、簡単な構成で製造の容易なＬＥＤ照明装置を提供することができる。
【図面の簡単な説明】
【００２３】
【図１】本発明を適用したＬＥＤ照明装置の構成例を示す縦断斜視図である。
【図２】上記ＬＥＤ照明装置に備えられた反射部を構成するプリズムを拡大して示す要部縦断斜視図である。
【図３】上記ＬＥＤ照明装置に備えられた反射部の各光路を拡大して模式的に示す図である。
【図４】上記ＬＥＤ照明装置を用いたコードペンダント型照明器具の要部縦断正面図である。
【図５】本発明を適用したＬＥＤ照明装置の他の構成例を示す要部縦断斜視図である。
【図６】上記ＬＥＤ照明装置に備えられた導光部を示す図であり、（Ａ）は導光部の平面図、（Ｂ）はそのＡ−Ａ線断面図である。
【図７】上記導光部の断面を拡大して示した断面図である。
【図８】上記ＬＥＤ照明装置に備えられた導光部に設けられたプリズムからなる反射部及びフレネルレンズとして機能するレンズ部の各断面形状を示す図である。
【図９】上記ＬＥＤ照明装置を用いたコードペンダント型照明器具の要部縦断正面図である。
【発明を実施するための形態】
【００２４】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２５】
本発明は、例えば図１に示すような構成のＬＥＤ照明装置１００に適用される。
【００２６】
このＬＥＤ照明装置１００は、複数の発光ダイオード（LED：Light Emitting Diode）光源１１１が平面基板上に環状に分散配置されたＬＥＤ基板１１０と、上記ＬＥＤ光源１１１から出射された光を、上記ＬＥＤ光源１１１の光軸と平行な方向に対して上記光軸から離れる側に反射する環状の反射面１２１を有する反射部１２０を備える。
【００２７】
このＬＥＤ照明装置１００において、上記ＬＥＤ基板１１０は、同心円の各円周上に複数の蛍光体型白色ＬＥＤを用いたＬＥＤ光源１１１がそれぞれ環状に分散配置されており、上記反射部１２０は、最外周の環状に分散配置された複数のＬＥＤ光源１１１から出射された光を、上記ＬＥＤ光源１１１の光軸と平行な方向に対して上記光軸から離れる外側方向に反射する位置に設けられている。
【００２８】
上記反射部１２０は、上記ＬＥＤ光源１１１の光軸に対して傾斜した反射面１２１を有する環状のプリズム１２２からなり、上記ＬＥＤ光源１１１から出射された光が入射される入射面１２３に鏡面処理が施され、入射された光を出射する出射面１２４にマット処理が施されている。
【００２９】
なお、このＬＥＤ照明装置１００では、上記反射部１２０として、上記ＬＥＤ基板１１０の外周側に２つの反射部１２０Ａ，１２０Ｂが設けられている。
【００３０】
上記２つの反射部１２０Ａ，１２０Ｂは、それぞれ上記ＬＥＤ光源１１１の光軸と平行な方向に対して上記光軸から離れる側に反射する上記ＬＥＤ光源１１１の光軸に対して傾斜した反射面１２１Ａ，１２１Ｂを有する環状のプリズム１２２Ａ，１２２Ｂからなり、上記ＬＥＤ光源１１１から出射された光が入射される入射面１２３Ａ，１２３Ｂに鏡面処理が施され、入射された光を出射する出射面１２４Ａ，１２４Ｂにマット処理が施されている。
【００３１】
また、このＬＥＤ照明装置１００において、上記反射部１２０Ａ，１２０Ｂを構成するプリズム１２２Ａ，１２２Ｂは、上記ＬＥＤ光源１１１よりも幅広に形成された上記入射面１２３Ａ，１２３Ｂを有するものとされている。
【００３２】
一方の反射部１２０Ａを構成するプリズム１２２Ａは、上記ＬＥＤ光源１１１の光軸に対して例えば５０°傾斜した反射面１２１Ａを有し、上記ＬＥＤ基板１１０の最外周の環状に分散配置された複数のＬＥＤ光源１１１から出射された光を上記反射面１２１Ａにより上記ＬＥＤ光源１１１の光軸と平行な方向に対して上記光軸から離れる外側方向に反射する。
【００３３】
また、他方の反射部１２０Ｂを構成するプリズム１２２Ａは、上記ＬＥＤ光源１１１の光軸に対して例えば６０°傾斜した反射面１２１Ｂを有し、上記ＬＥＤ基板１１０の最外周から２番目の円周上の環状に分散配置された複数のＬＥＤ光源１１１から出射された光を上記反射面１２１Ａにより上記ＬＥＤ光源１１１の光軸と平行な方向に対して上記光軸から離れる外側方向に反射する。
【００３４】
このＬＥＤ照明装置１００において、上記反射部１２０Ａ，１２０Ｂを構成するプリズム１２２Ａ，１２２Ｂは、図２に拡大して示すように、上記ＬＥＤ光源１１１の光軸と平行な方向に対して上記光軸から離れる側に厚みを増した環状の導光部材に反射面１２１Ａ，１２１Ｂを設けてなるホーン型の断面形状を有するものとなっている。上記プリズム１２１Ａ，１２１Ｂは、ホーン型の断面形状を有することにより、なるべく多くの光束を捕まえて方向を転換するようになっている。
【００３５】
ここで、上記反射部１２０Ａ，１２０Ｂの各光路を図３に拡大して示す。
【００３６】
すなわち、一方の反射部１２０Ａは、上記ＬＥＤ基板１１０の最外周の環状に分散配置された複数のＬＥＤ光源１１１から出射された光を上記ＬＥＤ光源１１１の光軸と平行な方向に対して上記光軸から離れる外側方向に略直角に反射する反射面１２１Ａを有するプリズム１２２Ａからなり、他方の反射部１２０Ｂは、上記ＬＥＤ基板１１０の最外周から２番目の円周上の環状に分散配置された複数のＬＥＤ光源１１１から出射された光を上記ＬＥＤ光源１１１の光軸と平行な方向に対して上記光軸から離れる外側斜め方向に反射する反射面１２１Ｂを有するプリズム１２２Ｂからなる。
【００３７】
このような構造のＬＥＤ照明装置１００では、平面基板上に環状に分散配置された複数の蛍光体型白色ＬＥＤを用いたＬＥＤ光源１１１から出射される光が入射される入射面１２３Ａ，１２３Ｂに鏡面処理が施され、入射された光を出射する出射面１２４Ａ，１２４Ｂにマット処理が施され、上記ＬＥＤ光源１１１の光軸に対して傾斜した反射面１２１Ａ，１２１Ｂを有する環状のプリズム１２２Ａ，１２２Ｂからなる反射部１２０Ａ，１２０Ｂを備え、上記鏡面処理が施された上記入射面１２３Ａ，１２３Ｂを介して入射し、入射された光を上記反射面１２１Ａ，１２１Ｂにより上記ＬＥＤ光源１１１の光軸と平行な方向に対して上記光軸から離れる側に反射して、上記マット処理が施された出射面１２４Ａ，１２４Ｂから出射することにより、水平方向へも十分に照射することができ、しかも、上記出射面１２４Ａ，１２４Ｂにマット処理が施されているので上記出射面１２４Ａ，１２４Ｂを介して上記出射される光が拡散され、照度ムラや色ムラが少なくすることができ、しかも、簡単な構成で製造の容易なものとなっている。すなわち、水平方向へ照射した光が出射面１２４Ａ，１２４Ｂのマットで散乱され、水平方向の照明領域内に現れる環状の色ムラを薄くすることができる。
【００３８】
なお、水平方向へ照射した光による照明領域内に、光軸に対する角度が大きくなる方向の周辺領域の黄色味のある白色光による輝線領域は、反射部１２０Ａ，１２０Ｂにより白色ＬＥＤの照射光の光路を大きく曲げるほど顕著に視認される傾向があるので、大きく曲げないようにすることで、輝線領域の発生を軽減することができる。
【００３９】
そこで、上記反射部１２０Ａ，１２０Ｂを構成する環状のプリズム１２２Ａ，１２２Ｂの反射面１２１Ａ，１２１Ｂを上記ＬＥＤ光源１１１の光軸に対して４５°傾斜させた状態、すなわち、白色ＬＥＤの照射光の光路が９０°曲げられる状態よりも小さな状態となるように、反射面１２１Ａ，１２１Ｂは、上記ＬＥＤ光源１１１の光軸に対して５０°以上傾斜させた状態とするのが好ましく、上記ＬＥＤ照明装置１００では、上述の如く、射一方の反射部１２０Ａを構成するプリズム１２２Ａは、上記ＬＥＤ光源１１１の光軸に対して例えば５０°傾斜した反射面１２１Ａを有し、また、他方の反射部１２０Ｂを構成するプリズム１２２Ａは、上記ＬＥＤ光源１１１の光軸に対して例えば６０°傾斜した反射面１２１Ｂを有するものとされている。
【００４０】
また、このＬＥＤ照明装置１００において、上記蛍光体型白色ＬＥＤを用いたＬＥＤ光源１１１から出射される光は、光軸方向の中央領域の光は青味のある白色となり、光軸に対する角度が大きくなる方向の周辺領域の光ほど、黄色味のある白色となるが、上記反射部１２０Ａ，１２０Ｂを構成するプリズム１２２Ａ，１２２Ｂは、上記ＬＥＤ光源１１１よりも幅広に形成された上記入射面１２３Ａ，１２３Ｂを有するものとされているので、周辺領域の光が上記入射面１２３Ａ，１２３Ｂを介してプリズム１２２Ａ，１２２Ｂに入射されず、上記入射面１２３Ａ，１２３Ｂを介してプリズム１２２Ａ，１２２Ｂに入射されるのは中央領域の青味のある白色光が主成分となり、さらに色ムラを少なくすることができ、水平方向へ照射した光による照明領域内に、光軸に対する角度が大きくなる方向の周辺領域の黄色味のある白色光による輝線領域が現れることはない。
【００４１】
なお、このＬＥＤ照明装置１００では、それぞれ環状のプリズム１２２Ａ，１２２Ｂにて構成される２枚の反射部１２０Ａ，１２０Ｂを上記ＬＥＤ基板１１０上に設け、一方の反射部１２０Ａにより、上記ＬＥＤ基板１１０の最外周の環状に分散配置された複数のＬＥＤ光源１１１から出射された光を上記ＬＥＤ光源１１１の光軸と平行な方向に対して上記光軸から離れる外側方向に反射し、他方の反射部１２０Ｂにより、上記ＬＥＤ基板１１０の最外周から２番目の円周上の環状に分散配置された複数のＬＥＤ光源１１１から出射された光を上記ＬＥＤ光源１１１の光軸と平行な方向に対して上記光軸から離れる外側方向に反射するようにしたが、２枚の反射部１２０Ａ，１２０Ｂの一方のみを設けるようにしてもよく、上記複数のＬＥＤ光源１１１が分散配置された同心の複数の環状に対応する少なくとも1つの反射部を備えることにより、上記ＬＥＤ光源１１１による出射光を水平方向へも照射して、照度ムラや色ムラを少なくすることができる。
【００４２】
上記ＬＥＤ照明装置１００は、例えば図４に示すように、頂部中央に取付孔１０を有する上ハーフ２０Ａと、この上ハーフ２０Ａの下側開口部を覆う下ハーフ２０Ｂからなる円形状の合成樹脂製のセード２０内に収納設置され、図示しない天井にコード３０により吊下げられるコードペンダント型照明器具として用いられる。
【００４３】
ここで、ＬＥＤ光源１１１は、点光源に近いＬＥＤチップからなるので、平行光線ではなく、点光源のように様々な方向に光を出射するので、上記入射面１２３Ａ，１２３Ｂを介してプリズム１２２Ａ，１２２Ｂに入射された光が反射面１２１Ａ，１２１Ｂで反射され出射面１２４Ａ，１２４Ｂを介して出射される課程でコーナー部分の影響でリング状の影や輝線を映し出す現象を伴う虞がある。
【００４４】
そこで、上記コーナー部の影響を受けないように、上記反射部１２０Ａ，１２０Ｂを構成する環状のプリズム１２２Ａ，１２２Ｂは、少なくとも各出射面１２４Ａ，１２４Ｂの幅方向の両端縁部が曲面形状に形成されるのが好ましい。
【００４５】
すなわち、例えば、図５に要部構成を示したＬＥＤ照明装置２００のように、反射部２２０Ａ，２２０Ｂを構成する環状のプリズム２２２Ａ，２２２Ｂの各出射面２２４Ａ，２２４Ｂの幅方向の両端縁部を曲面形状に形成することにより、コーナー部の影響を受けないようにすることができる。
【００４６】
このＬＥＤ照明装置２００は、複数の発光ダイオード（LED：Light Emitting Diode）光源２１１が平面基板上に環状に分散配置されたＬＥＤ基板２１０に下面に装着される導光部２５０に上記環状のプリズム２２２Ａ，２２２Ｂからなる反射部２２０Ａ，２２０Ｂが設けられている。
【００４７】
上記反射部２２０Ａ，２２０Ｂの各光路を図５に示してあるように、一方の反射部２２０Ａは、上記ＬＥＤ基板２１０の最外周の環状に分散配置された複数のＬＥＤ光源２１１から出射された光を上記ＬＥＤ光源２１１の光軸と平行な方向に対して上記光軸から離れる外側方向に略直角に反射する反射面２２１Ａを有するプリズム２２２Ａからなり、他方の反射部２２０Ｂは、上記ＬＥＤ基板２１０の最外周から２番目の円周上の環状に分散配置された複数のＬＥＤ光源２１１から出射された光を上記ＬＥＤ光源２１１の光軸と平行な方向に対して上記光軸から離れる外側斜め方向に反射する反射面２２１Ｂを有するプリズム２２２Ｂからなる。
【００４８】
そして、上記２つの反射部２２０Ａ，２２０Ｂは、それぞれ上記ＬＥＤ光源２１１の光軸と平行な方向に対して上記光軸から離れる側に反射する上記ＬＥＤ光源２１１の光軸に対して傾斜した反射面２２１Ａ，２２１Ｂを有する環状のプリズム２２２Ａ，２２２Ｂからなり、上記ＬＥＤ光源２１１から出射された光が入射される入射面２２３Ａ，２２３Ｂに鏡面処理が施され、入射された光を出射する出射面２２４Ａ，２２４Ｂにマット処理が施されている。
【００４９】
また、このＬＥＤ照明装置２００において、上記反射部２２０Ａ，２２０Ｂを構成するプリズム２２２Ａ，２２２Ｂは、上記ＬＥＤ光源２１１よりも幅広に形成された上記入射面２２３Ａ，２２３Ｂを有するものとされている。
【００５０】
このＬＥＤ照明装置２００において、上記反射部２２０Ａ，２２０Ｂを構成するプリズム２２２Ａ，２２２Ｂの幅よりも小さな上記ＬＥＤ光源２１１’を用いると上記ＬＥＤ光源２１１’から出射された周辺領域の光が上記入射面２２３Ａ，２２３Ｂを介してプリズム２２２Ａ，２２２Ｂに入射されてしまうが、上記反射部２２０Ａ，２２０Ｂを構成するプリズム２２２Ａ，２２２Ｂは、上記ＬＥＤ光源２１１よりも幅広に形成された上記入射面２２３Ａ，２２３Ｂを有するものとされているので、周辺領域の光が上記入射面２２３Ａ，２２３Ｂを介してプリズム２２２Ａ，２２２Ｂに入射されない。
【００５１】
上記蛍光体型白色ＬＥＤを用いたＬＥＤ光源２１１から出射される光は、光軸方向の中央領域の光は青味のある白色となり、光軸に対する角度が大きくなる方向の周辺領域の光ほど、黄色味のある白色となるが、このＬＥＤ照明装置２００では、周辺領域の光が上記入射面２２３Ａ，２２３Ｂを介してプリズム２２２Ａ，２２２Ｂに入射されないので、上記入射面２２３Ａ，２２３Ｂを介してプリズム２２２Ａ，２２２Ｂに入射されるのは中央領域の青味のある白色光が主成分となる。
【００５２】
また、このＬＥＤ照明装置２００では、上記反射部２２０Ａ，２２０Ｂを構成する環状のプリズム２２２Ａ，２２２Ｂの各出射面２２４Ａ，２２４Ｂの幅方向の両端縁部が曲面形状に形成されているので、上記入射面２２３Ａ，２２３Ｂを介してプリズム２２２Ａ，２２２Ｂに入射された光が反射面２２１Ａ，２２１Ｂで反射され出射面２２４Ａ，２２４Ｂを介して出射される課程でコーナー部分の影響を受けないようにすることができる。
【００５３】
したがって、このＬＥＤ照明装置２００では、外周側のＬＥＤ光源２１１の外周側のから出射された光が車反射部２２０Ａ，２２０Ｂを介して、輝線領域、照度ムラや色ムラを伴うことなく水平方向に照射することができる。
【００５４】
ここで、このＬＥＤ照明装置２００では、図６の（Ａ），（Ｂ）に示すように、同心円の各円周上に複数の蛍光体型白色ＬＥＤを用いたＬＥＤ光源２１１がそれぞれ環状に分散配置されたＬＥＤ基板２１０に下面に装着される導光部２５０に、上記同心の複数の環状に分散配置された上記複数のＬＥＤ光源２１１うちの内周側のＬＥＤ光源２１１から出射された光が入射されるフレネルレンズとして機能するレンズ部２４０Ａ、２４０Ｂ、２４０Ｃが設けられている。
【００５５】
図６の（Ａ）は上記導光部２５０の平面図、（Ｂ）はそのＡ−Ａ線断面図である。また、図７は、上記導光部２５０の断面を拡大して示した断面図である。
【００５６】
すなわち、このＬＥＤ照明装置２００において、プリズム２２２Ａ，２２２Ｂからなる反射部２２０Ａ，２２０Ｂとフレネルレンズとして機能するレンズ部２４０Ａ、２４０Ｂ、２４０Ｃは、上記導光部２５０に設けられ一体構造とされている。
【００５７】
上記プリズム２２２Ａ，２２２Ｂからなる反射部２２０Ａ，２２０Ｂ及びフレネルレンズとして機能するレンズ部２４０Ａ、２４０Ｂ、２４０Ｃの各断面形状を図８の（Ａ），（Ｂ），（Ｃ），（Ｄ），（Ｅ）に示す。
【００５８】
このＬＥＤ照明装置２００において、フレネルレンズとして機能するレンズ部２４０Ａ、２４０Ｂ、２４０Ｃの各入射面２４１Ａ、２４１Ｂ、２４１Ｃには鏡面処理が施され、
他の面にはマット処理が施されている。
【００５９】
このＬＥＤ照明装置２００では、プリズム２２２Ａ，２２２Ｂからなる反射部２２０Ａ，２２０Ｂとフレネルレンズとして機能するレンズ部２４０Ａ、２４０Ｂ、２４０Ｃが体構造として設けられた上記記導光部２５０が上記ＬＥＤ基板２１０に下面に装着されているので、上記ＬＥＤ基板２１０に同心円の各円周上に分散配置された複数の蛍光体型白色ＬＥＤを用いたＬＥＤ光源２１１から出射される光を直下領域から周辺領域までの広範囲亘って、輝線領域、照度ムラや色ムラを伴うことなく均一に照射することができる。
【００６０】
上記ＬＥＤ照明装置２００は、例えば図９に示すように、頂部中央に取付孔４０を有する上ハーフ５０Ａと、この上ハーフ５０Ａの下側開口部を覆う下ハーフ５０Ｂからなる円形状の合成樹脂製のセード５０内に収納設置され、図示しない天井にコード６０により吊下げられるコードペンダント型照明器具として用いられる。
【００６１】
なお、本実施形態では、上記ＬＥＤ照明装置１００，２００を天井から吊り下げたペンダント型照明器具としたが、天井直付のシーリング型照明器具であってもよいことは言うまでもない。
【符号の説明】
【００６２】
１００，２００  ＬＥＤ照明装置、１１０，２１０  ＬＥＤ基板、１１１，２１１  ＬＥＤ光源、１２０Ａ，１２０Ｂ，２２０Ａ，２２０Ｂ  反射部、１２１Ａ，１２１Ｂ，２２１Ａ，２２１Ｂ  反射面、１２２Ａ，１２２Ｂ，２２２Ａ，２２２Ｂ  プリズム、１２３Ａ，１２３Ｂ，２２３Ａ，２２３Ｂ  入射面、１２４Ａ，１２４Ｂ，２２４Ａ，２２４Ｂ  出射車、２４０Ａ，２４０Ｂ，２４０Ｃ，２４０Ｄ  レンズ部、２５０  導光部
【図１】
2015079653.tif 000003
【図２】
2015079653.tif 000004
【図３】
2015079653.tif 000005
【図４】
2015079653.tif 000006
【図５】
2015079653.tif 000007
【図６】
2015079653.tif 000008
【図７】
2015079653.tif 000009
【図８】
2015079653.tif 000010
【図９】
2015079653.tif 000011